(57)【要約】【課題】  使用者が眩しさを感じないようにしつつ、使用者の直前の作業領域を良好に照明することができる照明装置を提供すること。【解決手段】  平行管型蛍光灯13を用いる照明装置としての電気スタンド１において、この電気スタンド１の灯具を、前記蛍光灯13の上方を覆う第一の反射板15と、後方の蛍光管13Ａの後方に設けられてこの蛍光管13Ａから放射された光を前下方略４５度（＝θ）の方向に反射させる第二の反射板16と、前方の蛍光管13Ｂと前記第一の反射板15との間に設けられて前記蛍光管13Ｂから放射された光を前下方略４５度（＝θ）の方向に反射させる第三の反射板17とからなる反射板群11を有して構成する。これによって、前記蛍光灯13からの直接光及び前記第一の反射板15等による反射光で机上等を広く照らすと共に、前記第二及び第三の反射板16，17からの反射光によって、机上等における使用者の直前の作業領域を良好に照らすことができる。【選択図】図３
2006120581.tif 000002
【特許請求の範囲】
【請求項１】
平行管型蛍光灯と、この平行管型蛍光灯からの光を反射する反射板群とを有する照明装置において、
前記反射板群が、前記平行管型蛍光灯の上方を覆う第一の反射板と、前記平行管型蛍光灯のうち後方に配された蛍光管の後方に設けられてこの後方の蛍光管から後方に放射された光を前下方の略所定角度θ方向に反射させる第二の反射板と、前記平行管型蛍光灯のうち前方に配された蛍光管と前記第一の反射板との間に設けられて前記前方の蛍光管から上方に放射された光を前下方の略所定角度θ方向に反射させる第三の反射板とで構成したことを特徴とする照明装置。
【請求項２】
前記第一の反射板が、前記後方の蛍光管から上後方に放射された光を前方に一次的に反射させる一次反射面部と、この一次反射面部で一次的に反射した光を前下方の略所定角度θ方向に二次的に反射させる二次反射面部とを有することを特徴とする請求項１記載の照明装置。
【請求項３】
前記平行管型蛍光灯の前方で且つ前記第一の反射板の下方に、前下方の略所定角度θ方向に傾斜したスリット部を設けたことを特徴とする請求項２記載の照明装置。
【請求項４】
複数の直管型蛍光灯を略平行に且つ前後に配列して構成した光源群と、この光源群からの光を反射する反射板群とを有する照明装置において、
前記反射板群が、前記光源群の上方を覆う第一の反射板と、前記光源群のうち後方に配された蛍光灯の後方に設けられてこの後方の蛍光灯から後方に放射された光を前下方の略所定角度θ方向に反射させる第二の反射板と、前記光源群のうち前方に配された蛍光灯と前記第一の反射板との間に設けられて前記前方の蛍光灯から上方に放射された光を前下方の略所定角度θ方向に反射させる第三の反射板とで構成したことを特徴とする照明装置。
【請求項５】
前記第一の反射板が、前記後方の蛍光灯から上後方に放射された光を前方に一次的に反射させる一次反射面部と、この一次反射面部で一次的に反射した光を前下方の略所定角度θ方向に二次的に反射させる二次反射面部とを有することを特徴とする請求項４記載の照明装置。
【請求項６】
前記光源群の前方で且つ前記第一の反射板の下方に、前下方の略所定角度θ方向に傾斜したスリット部を設けたことを特徴とする請求項５記載の照明装置。
【発明の詳細な説明】
【技術分野】
【０００１】
本発明は、照明装置に関するものであり、特に、机上等で用いられる配光性に考慮した電気スタンド等の照明装置に関するものである。
【背景技術】
【０００２】
従来、この種の照明装置としては、例えば、下方が開放したセード内に曲面状の反射板を配すると共に、この反射板の下方で且つ前記セード内にランプ（本発明の平行管型蛍光灯或いは光源群に該当する）を配した電気スタンドが知られている（例えば、特許文献１参照。）。そして、これらの電気スタンドにおいては、前記ランプから下方に放射された光によって机上等を照明すると共に、前記ランプから上方に放射された光を前記反射板によって下方に反射させることによって、前記机上等を照明している。
【特許文献１】特開２００１−１５５５０６号公報
【発明の開示】
【発明が解決しようとする課題】
【０００３】
しかしながら、このような電気スタンドは、セードの下方を広く照明するように構成されているため、電気スタンドを置く位置によっては、使用者の直前の作業領域が良好に照明されないという問題が起こりうる。そして、上述したような電気スタンドでは、使用者の直前の作業領域を重点的に照明しようとした場合、前記セードごと反射板とランプを前方に起こす必要があるが、このようにすると、前記ランプから放射された光が使用者の目に直接入ってしまい、使用者が眩しく感じてしまうという虞があった。また、前述したように、上述した電気スタンドは、前記セードの下方を広く照明するように構成されているため、仮に前記セードごと反射板とランプを前方に起こしたとしても、作業領域が明るいというだけで、良好な照明が成されているとは言えなかった。
【０００４】
本発明は以上の問題点を解決し、使用者が眩しさを感じないようにしつつ、使用者の直前の作業領域を良好に照明することができる照明装置を提供することを目的とする。
【課題を解決するための手段】
【０００５】
本発明の請求項１に記載の照明装置は、平行管型蛍光灯と、この平行管型蛍光灯からの光を反射する反射板群とを有する照明装置において、前記反射板群が、前記平行管型蛍光灯の上方を覆う第一の反射板と、前記平行管型蛍光灯のうち後方に配された蛍光管の後方に設けられてこの後方の蛍光管から後方に放射された光を前下方の略所定角度θ方向に反射させる第二の反射板と、前記平行管型蛍光灯のうち前方に配された蛍光管と前記第一の反射板との間に設けられて前記前方の蛍光管から上方に放射された光を前下方の略所定角度θ方向に反射させる第三の反射板とで構成したものである。
【０００６】
また、本発明の請求項２に記載の照明装置は、請求項１において、前記第一の反射板が、前記後方の蛍光管から上後方に放射された光を前方に一次的に反射させる一次反射面部と、この一次反射面部で一次的に反射した光を前下方の略所定角度θ方向に二次的に反射させる二次反射面部とを有するものである。
【０００７】
また、本発明の請求項３に記載の照明装置は、請求項２において、前記平行管型蛍光灯の前方で且つ前記第一の反射板の下方に、前下方の略所定角度θ方向に傾斜したスリット部を設けたものである。
【０００８】
また、本発明の請求項４に記載の照明装置は、複数の直管型蛍光灯を略平行に且つ前後に配列して構成した光源群と、この光源群からの光を反射する反射板群とを有する照明装置において、前記反射板群が、前記光源群の上方を覆う第一の反射板と、前記光源群のうち後方に配された蛍光灯の後方に設けられてこの後方の蛍光灯から後方に放射された光を前下方の略所定角度θ方向に反射させる第二の反射板と、前記光源群のうち前方に配された蛍光灯と前記第一の反射板との間に設けられて前記前方の蛍光灯から上方に放射された光を前下方の略所定角度θ方向に反射させる第三の反射板とで構成したものである。
【０００９】
また、本発明の請求項５に記載の照明装置は、請求項４において、前記第一の反射板が、前記後方の蛍光灯から上後方に放射された光を前方に一次的に反射させる一次反射面部と、この一次反射面部で一次的に反射した光を前下方の略所定角度θ方向に二次的に反射させる二次反射面部とを有するものである。
【００１０】
更に、本発明の請求項６に記載の照明装置は、請求項５において、前記光源群の前方で且つ前記第一の反射板の下方に、前下方の略所定角度θ方向に傾斜したスリット部を設けたものである。
【発明の効果】
【００１１】
本発明の請求項１に記載の照明装置は、以上のように構成することにより、前記平行管型蛍光灯から下方に放射された光で机上を直接照明し、前記平行管型蛍光灯から上方に放射された光の一部を前記第一の反射板によって下方に反射させることで机上を広く照明すると共に、前記平行管型蛍光灯のうち後方の蛍光管から後方に放射された光を前記第二の反射板によって前下方の略所定角度θ方向に反射させ、更に前記平行管型蛍光灯のうち前方の蛍光管から上方に放射された光を前記第三の反射板によって前下方の略所定角度θ方向に反射させることで、これら第二及び第三の反射板から前下方の略所定角度θ方向に反射した光によって、机上における使用者の直前の作業領域を良好に照明することができる。
【００１２】
また、本発明の請求項２に記載の照明装置は、以上のように構成することにより、前記平行管型蛍光灯の後方の蛍光管から上後方に放射された光が一次反射面部において略前方に一次的に反射し、更にこの一次反射光が前記二次反射面部において前下方の略所定角度θ方向に二次反射することで、机上における使用者の直前の作業領域を更に良好に照明することができる。
【００１３】
また、本発明の請求項３に記載の照明装置は、以上のように構成することにより、前記スリット部によって、前記第一の反射板の二次反射面部及び前記第三の反射板にて反射した光を、前下方の略所定角度θ方向に通過させつつ、前記平行管型蛍光灯から前方に放射された光が直接使用者の目に入る虞を減ずることができる。
【００１４】
また、本発明の請求項４に記載の照明装置は、以上のように構成することにより、前記光源群から下方に放射された光で机上を直接照明し、前記光源群から上方に放射された光の一部を前記第一の反射板によって下方に反射させることで机上を広く照明すると共に、前記後方の蛍光灯から後方に放射された光を前記第二の反射板によって前下方の略所定角度θ方向に反射させ、更に前記前方の蛍光灯から上方に放射された光を前記第三の反射板によって前下方の略所定角度θ方向に反射させることで、これら第二及び第三の反射板から前下方の略所定角度θ方向に反射した光によって、机上における使用者の直前の作業領域を良好に照明することができる。
【００１５】
また、本発明の請求項５に記載の照明装置は、以上のように構成することにより、前記後方の蛍光灯から上後方に放射された光が一次反射面部において略前方に一次的に反射し、更にこの一次反射光が前記二次反射面部において前下方の略所定角度θ方向に二次反射することで、机上における使用者の直前の作業領域を更に良好に照明することができる。
【００１６】
更に、本発明の請求項６に記載の照明装置は、以上のように構成することにより、前記スリット部によって、前記第一の反射板の二次反射面部及び前記第二の反射板にて反射した光を前下方の略所定角度θ方向に通過させつつ、前記光源群から前方に放射された光が直接使用者の目に入る虞を減ずることができる。
【発明を実施するための最良の形態】
【００１７】
以下、本発明の第一の実施形態について、図１乃至図３に基づいて説明する。１は照明装置たる電気スタンドである。この電気スタンド１は、略平板状の基部２と、この基部２の後方に立設された支柱部３と、この支柱部３の上部に設けられた屈曲部４と、この屈曲部４の先端に設けられた灯具５とで構成されている。前記基部２は、略平板状の鋼板から成る基部本体２Ａの下面に樹脂製の下部材２Ｂを取り付けて構成されており、鋼板で構成された前記基部本体２Ａが重量物となることで、前記電気スタンド１が安定して起立し続けることができるように構成されている。また、前記支柱部３は、前記基部２に対して着脱可能に取り付けられていると共に、この支柱部３の内部には、前記灯具５の後述する平行管型蛍光灯13を点灯させるための図示しない点灯回路が設けられている。また、前記支柱部３の正面には、前記点灯回路を作動させるためのスイッチ６が設けられていると共に、前記支柱部３の下端には、前記電気スタンド１の転倒時に開成して後述する平行管型蛍光灯13への通電を遮断するための安全スイッチ７が設けられている。また、前記屈曲部４は、図示しないフレキシブルシャフトを蛇腹部８で覆って構成されており、前記フレキシブルシャフトが自在に屈曲することで、前記屈曲部４が自在に屈曲するように構成されている。更に、前記屈曲部４は、前記灯具５の左側後方に接続されている。
【００１８】
前記灯具５について詳述する。なお、以下の説明で方向を表す場合、前記灯具５が略水平となる姿勢、即ち、前記屈曲部４の先端が略水平となる姿勢を基準とした方向である。前記灯具５は、下方が開放したセード９と、このセード９の左側に設けられて図示しないソケットを内蔵した収容部10と、前記セード９内に設けられた反射板群11と、前記セード９の前端側に設けられたスリット部12と、前記収容部10に設けられたソケットに対して着脱自在に取り付けられる平行管型の蛍光灯13と、この蛍光灯13を支持するためのホルダー14とで構成されている。なお、前記平行管型の蛍光灯13は、所謂ＦＰＬ型と呼ばれる形式のものであるが、この形式に限らず、ＦＭＬ型やＦＨＰ型であっても良い。
【００１９】
前記反射板群11は、前記セード９の内面上部に設けられた第一の反射板15と、前記第一の反射板15の後下方に設けられた第二の反射板16と、前記第一の反射板15の下方に、この第一の反射板15とは独立して設けられた第三の反射板17とで構成されている。なお、本実施形態では、前記第一及び第二の反射板15，16は一体に形成されているが、これらを独立して設けても良い。そして、前記第一及び第二の反射板15，16は、合成樹脂製の反射板取付枠18に対して、金属薄板などから成る反射体15Ａ，16Ａを保持させることで構成されている。同様に、前記第三の反射板17も、合成樹脂製の反射板取付枠19に対して、金属薄板などから成る反射体17Ａを保持させることで構成されている。前記第一の反射板15は、前記蛍光灯13が前記ソケット及びホルダー14によって前記灯具５に保持された状態で、前記蛍光灯13の上方を覆うように配されている。そして、前記第一の反射板15の反射体15Ａは、前記蛍光灯13の上方に設けられた平面部15Ｂと、この平面部15Ｂの後方で且つ前記蛍光灯13のうち後方の蛍光管13Ａの上後方に設けられた一次反射面部15Ｃと、前記平面部15Ｂの前方に設けられた二次反射面部15Ｄとで構成されている。前記平面部15Ｂは、前記蛍光灯13から上方に放射された光を下方に反射するように、略水平に形成されている。また、前記一次反射面部15Ｃは、前記後方の蛍光管13Ａから上後方に放射された光を略前方に一次的に反射するように、曲面状に形成されている。更に、前記二次反射面部15Ｄは、前記一次反射面部15Ｃで反射した光を下前方略４５度（＝θ）の方向に二次的に反射するように形成されている。また、前記第二の反射板16の反射体16Ａは、前記後方の蛍光管13Ａから後方に放射された光を下前方略４５度（＝θ）の方向に反射するように、曲面状に形成されている。更に、前記第三の反射板17は、前記蛍光灯13が前記ソケット及びホルダー14によって前記灯具５に保持された状態で、前記蛍光灯13のうち前方の蛍光管13Ｂの前上方で且つ前記第一の反射板15の下方に配されている。そして、前記第三の反射板17の反射体17Ａは、前記前方の蛍光管13Ｂから上方に放射された光を下前方略４５度（＝θ）の方向に反射するように、曲面状に形成されている。なお、本実施形態において、前記一次反射面部15Ｃ、第二の反射板16の反射体16Ａ及び第三の反射板17の反射体17Ａは、近似的に円弧状面に形成されているが、理想的には放物線状面に形成されていることが望ましい。更に、前記スリット部12は、前記蛍光灯13が前記ソケット及びホルダー14によって前記灯具５に保持された状態で、前記蛍光灯13の前方に配されている。更に、前記スリット部12は、下前方略４５度（＝θ）の方向に傾斜して形成されている。
【００２０】
次に、本実施形態の作用について説明する。まず、使用者は前記電気スタンド１を机上等の任意の場所に設置する。この際、前記支柱部３の下端に設けられた前記安全スイッチ７が閉成することで、前記蛍光灯13の点灯が可能になる。そして更に、使用者が前記支柱部３の正面に設けられたスイッチ６を操作することで、図示しない点灯回路によって前記蛍光灯13が点灯する。
【００２１】
このように、前記蛍光灯13が点灯すると、この蛍光灯13から放射された光によって、机上等が照明される。具体的には、まず、前記蛍光灯13の前方から後方の広い範囲が、前記蛍光灯13からの直接光によって照明される。また、上方から上前方にかけて前記後方の蛍光管13Ａから放射された光が、前記第一の反射板15の平面部15Ｂ及び二次反射面部15Ｄで反射すると共に、上前方から上後方にかけて前記前方の蛍光管13Ｂから放射された光が、前記第一の反射板15の平面部15Ｂ及び二次反射面部15Ｄで反射することで、前記蛍光灯13の前方から後方にかけて、且つ前記蛍光灯13からの直接光による照明範囲よりもやや狭い範囲が照明される。また、上後方に向けて前記後方の蛍光管13Ａから放射された光が、前記第一の反射板15の一次反射面部15Ｃで略前方に一次的に反射し、更に前記二次反射面部15Ｄで下前方略４５度の方向に二次的に反射し、前記スリット部12を通過することで、このスリット部12の位置から下前方略４５度の方向が照明される。また、後方から下後方にかけて前記後方の蛍光管13Ａから放射された光が、前記第二の反射板16で下前方略４５度の方向に反射することで、この第二の反射板16の位置から下前方略４５度の方向が照明される。更に、上方から上前方にかけて前記前方の蛍光管13Ｂから放射された光が、前記第三の反射板17で下前方略４５度の方向に反射することで、この第三の反射板17の位置から下前方略４５度の方向が照明される。なお、前記第三の反射板17で反射した光の一部は、前記スリット部12を通過する。更に、前方に向けて前記蛍光灯13から放射された光は、前記スリット部12によって遮られる。そして、前記電気スタンド１を設置する位置や前記灯具５の高さにもよるが、このように前記第一の反射板15の二次反射面部15Ｄで二次的に反射した光や、前記第二及び第三の反射板16，17で反射した光が下前方略４５度の方向に照射されることで、机上等の広い範囲が照明されるだけでなく、使用者に近い位置、例えば手元近くが重点的に照明されることになる。そして、このように使用者に近い位置が重点的に照明されるにも拘わらず、前記蛍光灯13からの直接光が前記スリット部12によって遮られることで、直接使用者の目に入らないので、使用者が眩しくない上に作業領域を見易くすることができる。
【００２２】
以上のように本発明は、平行管型蛍光灯13を用いる電気スタンド１において、この電気スタンド１の灯具５が、前記平行管型蛍光灯13の上方を覆う第一の反射板15と、前記蛍光灯13における後方の蛍光管13Ａの後方に設けられてこの後方の蛍光管13Ａから後方に放射された光を前下方略４５度の方向に反射させる第二の反射板16と、前記蛍光灯13における前方の蛍光管13Ｂと前記第一の反射板15との間に設けられて前記前方の蛍光管13Ｂから上方に放射された光を前下方略４５度の方向に反射させる第三の反射板17とからなる反射板群11を有して構成されていることで、前記平行管型蛍光灯13からの直接光及び前記第一の反射板15等による反射光で机上等を広く照明すると共に、前記第二及び第三の反射板16，17からの反射光によって前下方略４５度の方向を照明することで、机上等における使用者の直前の作業領域を良好に照明することができるものである。また、本発明は、前記第一の反射板15に、前記後方の蛍光管13Ａから上後方に放射された光を前方に一次的に反射させる一次反射面部15Ｃと、この一次反射面部15Ｃで一次的に反射した光を前下方略４５度の方向に二次的に反射させる二次反射面部15Ｄとを設けたことで、前記二次反射面部15Ｄから前下方略４５度の方向に二次的に反射した光で、机上等における使用者の直前の作業領域を更に良好に照明することができるものである。更に、本発明は、前記平行管型蛍光灯13の前方で且つ前記第一の反射板15の下方に、前下方略４５度の方向に傾斜したスリット部12を設けたことで、前記第一の反射板15の二次反射面部15Ｄ及び前記第三の反射板17にて反射した光を、前下方略４５度の方向に通過させつつ、前記平行管型蛍光灯13から前方に放射された光が直接使用者の目に入る虞を減ずることができるものである。
【００２３】
次に、本発明の第二の実施形態について、図４に基づいて説明する。なお、本実施形態では、灯具20以外の部分については説明を省略する。また、以下の説明で方向を表す場合、前記灯具20が略水平となる姿勢を基準とした方向である。前記灯具20は、下方が開放したセード21と、このセード21の左右に設けられる図示しないソケットと、前記セード21内に設けられた反射板群22と、前記セード21の前端側に設けられたスリット部23と、前記ソケットに対して着脱自在に取り付けられる光源群たる二本の直管型の蛍光灯24とで構成されている。なお、前記直管型の蛍光灯24は、所謂ＦＬ型と呼ばれる形式のものであるが、この形式に限らず、ＦＨＦ型であっても良い。また、前記二本の直管型蛍光灯24は、後方の蛍光灯24Ａと前方の蛍光灯24Ｂとを前後に略平行に配列して設けられている。
【００２４】
前記反射板群22は、前記セード21の内面上部に設けられた第一の反射板25と、前記第一の反射板25の後下方に設けられた第二の反射板26と、前記第一の反射板25の下方に、この第一の反射板25とは独立して設けられた第三の反射板27とで構成されている。なお、本実施形態では、前記第一及び第二の反射板25，26は一体に形成されているが、これらを独立して設けても良い。そして、前記第一及び第二の反射板25，26は、合成樹脂製の反射板取付枠28に対して、金属薄板などから成る反射体25Ａ，26Ａを保持させることで構成されている。同様に、前記第三の反射板27も、合成樹脂製の反射板取付枠29に対して、金属薄板などから成る反射体27Ａを保持させることで構成されている。前記第一の反射板25は、前記二本の蛍光灯24が前記ソケットによって前記灯具20に保持された状態で、前記各蛍光灯24の上方を覆うように配されている。そして、前記第一の反射板25の反射体25Ａは、前記蛍光灯24の上方に設けられた平面部25Ｂと、この平面部25Ｂの後方で且つ前記後方の蛍光灯24Ａの上後方に設けられた一次反射面部25Ｃと、前記平面部25Ｂの前方に設けられた二次反射面部25Ｄとで構成されている。前記平面部25Ｂは、前記各蛍光灯24から上方に放射された光を下方に反射するように、略水平に形成されている。また、前記一次反射面部25Ｃは、前記後方の蛍光灯24Ａから上後方に放射された光を略前方に一次的に反射するように、曲面状に形成されている。更に、前記二次反射面部25Ｄは、前記一次反射面部25Ｃで反射した光を下前方略４５度（＝θ）の方向に二次的に反射するように形成されている。また、前記第二の反射板26の反射体26Ａは、前記後方の蛍光灯24Ａから後方に放射された光を下前方略４５度（＝θ）の方向に反射するように、曲面状に形成されている。更に、前記第三の反射板27は、前記蛍光灯24が前記ソケットによって前記灯具20に保持された状態で、前記前方の蛍光灯24Ｂの前上方で且つ前記第一の反射板25の下方に配されている。そして、前記第三の反射板27の反射体27Ａは、前記前方の蛍光灯24Ｂから上方に放射された光を下前方略４５度（＝θ）の方向に反射するように、曲面状に形成されている。なお、本実施形態において、前記一次反射面部25Ｃ、第二の反射板26の反射体26Ａ及び第三の反射板27の反射体27Ａは、近似的に円弧状面に形成されているが、理想的には放物線状面に形成されていることが望ましい。更に、前記スリット部23は、前記蛍光灯24が前記ソケットによって前記灯具20に保持された状態で、前記前方の蛍光灯24Ｂの前方に配されている。更に、前記スリット部23は、下前方略４５度（＝θ）の方向に傾斜して形成されている。
【００２５】
次に、本実施形態の作用について説明する。前記各蛍光灯24が点灯すると、これらの蛍光灯24から放射された光によって、机上等が照明される。具体的には、まず、前記各蛍光灯24の前方から後方の広い範囲が、前記各蛍光灯24からの直接光によって照明される。また、上方から上前方にかけて前記後方の蛍光灯24Ａから放射された光が、前記第一の反射板25の平面部25Ｂ及び二次反射面部25Ｄで反射すると共に、上前方から上後方にかけて前記前方の蛍光灯24Ｂから放射された光が、前記第一の反射板25の平面部25Ｂ及び二次反射面部25Ｄで反射することで、前記蛍光灯24の前方から後方にかけて、且つ前記各蛍光灯24からの直接光による照明範囲よりもやや狭い範囲が照明される。また、上後方に向けて前記後方の蛍光灯24Ａから放射された光が、前記第一の反射板25の一次反射面部25Ｃで略前方に一次的に反射し、更に前記二次反射面部25Ｄで下前方略４５度の方向に二次的に反射し、前記スリット部23を通過することで、このスリット部23の位置から下前方略４５度の方向が照明される。また、後方から下後方にかけて前記後方の蛍光灯24Ａから放射された光が、前記第二の反射板26で下前方略４５度の方向に反射することで、この第二の反射板26の位置から下前方略４５度の方向が照明される。更に、上方から上前方にかけて前記前方の蛍光灯24Ｂから放射された光が、前記第三の反射板27で下前方略４５度の方向に反射することで、この第三の反射板27の位置から下前方略４５度の方向が照明される。なお、前記第三の反射板27で反射した光の一部は、前記スリット部23を通過する。更に、前方に向けて前記各蛍光灯24から放射された光は、前記スリット部23によって遮られる。そして、前記電気スタンドを設置する位置や前記灯具20の高さにもよるが、このように前記第一の反射板25の二次反射面部25Ｄで二次的に反射した光や、前記第二及び第三の反射板26，27で反射した光が下前方略４５度の方向に照射されることで、机上等の広い範囲が照明されるだけでなく、使用者に近い位置、例えば手元近くが重点的に照明されることになる。そして、このように使用者に近い位置が重点的に照明されるにも拘わらず、前記各蛍光灯24からの直接光が前記スリット部23によって遮られることで、直接使用者の目に入らないので、使用者が眩しくない上に作業領域を見易くすることができる。
【００２６】
以上のように本発明は、二本の直管型蛍光灯24を用いる電気スタンドにおいて、この電気スタンドの灯具20が、前記各蛍光灯24の上方を覆う第一の反射板25と、前記後方の蛍光灯24Ａの後方に設けられてこの後方の蛍光管24Ａから後方に放射された光を前下方略４５度の方向に反射させる第二の反射板26と、前記前方の蛍光管24Ｂと前記第一の反射板25との間に設けられて前記前方の蛍光管24Ｂから上方に放射された光を前下方略４５度の方向に反射させる第三の反射板27とからなる反射板群22を有して構成されていることで、前記各蛍光灯24からの直接光及び前記第一の反射板25等による反射光で机上等を広く照明すると共に、前記第二及び第三の反射板26，27からの反射光によって前下方略４５度の方向を照明することで、机上等における使用者の直前の作業領域を良好に照明することができるものである。また、本発明は、前記第一の反射板25に、前記後方の蛍光灯24Ａから上後方に放射された光を前方に一次的に反射させる一次反射面部25Ｃと、この一次反射面部25Ｃで一次的に反射した光を前下方略４５度の方向に二次的に反射させる二次反射面部25Ｄとを設けたことで、前記二次反射面部25Ｄから前下方略４５度の方向に二次的に反射した光で、机上等における使用者の直前の作業領域を更に良好に照明することができるものである。更に、本発明は、前記蛍光灯24の前方で且つ前記第一の反射板25の下方に、前下方略４５度の方向に傾斜したスリット部23を設けたことで、前記第一の反射板25の二次反射面部25Ｄ及び前記第三の反射板27にて反射した光を、前下方略４５度の方向に通過させつつ、前記蛍光灯24から前方に放射された光が直接使用者の目に入る虞を減ずることができるものである。
【００２７】
なお、本発明は以上の実施形態に限定されるものではなく、発明の要旨の範囲内で種々の変形が可能である。例えば、上記各実施形態では、第一乃至第三の反射板が、それぞれ合成樹脂製の反射板取付枠に対して金属薄板製の反射体を保持させて構成されているが、第一乃至第三の反射板を金属板のみで構成しても良い。また、上記各実施形態では、前記第二及び第三の反射板の反射体並びに前記第一の反射板の反射体の一次反射面部は近似的に円弧状面に形成されているが、これらは理想的には放物線状面に形成することが望ましい。また、上記第二の実施形態では、前記直管型蛍光灯は二本設けられているが、これ以上の本数設けても良い。また、上記各実施形態では、平行管型蛍光灯或いは光源群と反射板群の位置関係は請求項に記載された通りであるが、照明装置の用途によっては、前記平行管型蛍光灯或いは光源群と反射板群の位置関係を前記平行管型蛍光灯或いは直管型蛍光灯の軸回りにシフトした状態で実施しても良い。更に、上記各実施形態では、前記第二及び第三の反射板並びに前記第一の反射板の二次反射面部において反射光の方向角度θを前下方略４５度としているが、この方向は適宜変更が可能である。
【産業上の利用可能性】
【００２８】
本発明の照明装置は、電気スタンドの他、組込型の照明装置として使用することも可能である。
【図面の簡単な説明】
【００２９】
【図１】本発明の第一の実施形態を示す電気スタンドの正面図である。
【図２】同上、側面図である。
【図３】同上、拡大Ａ−Ａ断面図である。
【図４】本発明の第二の実施形態を示す電気スタンドの要部の拡大断面図である。
【符号の説明】
【００３０】
１  電気スタンド（照明装置）
11，22  反射板群
12，23  スリット部
13  平行管型の蛍光灯
13Ａ  後方の蛍光管
13Ｂ  前方の蛍光管
15，25  第一の反射板
15Ｂ，25Ｂ  平面部
15Ｃ，25Ｃ  一次反射面部
15Ｄ，25Ｄ  二次反射面部
16，26  第二の反射板
17，27  第三の反射板
24  直管型の蛍光灯（光源群）
24Ａ  後方の蛍光灯
24Ｂ  前方の蛍光灯
【図１】
2006120581.tif 000003
【図２】
2006120581.tif 000004
【図３】
2006120581.tif 000005
【図４】
2006120581.tif 000006
【手続補正書】
【提出日】平成17年10月24日(2005.10.24)
【手続補正１】
【補正対象書類名】図面
【補正対象項目名】図４
【補正方法】変更
【補正の内容】
【図４】
2006120581.tif 000007